(57)【要約】【課題】床面から壁面に延伸される防水層立ち上がり部のシールの品質を低コストで効率的に構築する。【解決手段】防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第１シールと、前記金具に遮蔽されて金具と壁面との間に形成される第２シールとを具え、前記保護金具は、  防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えることを特徴とする壁面における防水層立ち上がり部の保護構造を提供して、上記課題を解決する。【選択図】    図３
2004250947.tif 000002
【特許請求の範囲】
【請求項１】
床面から壁面まで延伸される防水層の立ち上がり部の雨水、紫外線、熱等に対する保護構造であって、防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第１シールと、前記金具に遮蔽されて金具と壁面との間に形成される第２シールとを具え、前記保護金具は、  防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えたことを特徴とする壁面における防水層立ち上がり部の保護構造。
【請求項２】
請求項１記載の壁面における防水層立ち上がり部の保護構造において、前記分離板は壁面に当接する端部が上方となる傾斜角を有し、前記支持板は壁面側から外方にかけて下降するように形成したことを特徴とする壁面における防水層立ち上がり部の保護構造。
【請求項３】
請求項２記載の壁面における防水層立ち上がり部の保護構造において、前記分離板には傾斜角の調整手段を設け端部の壁面への着実な当接を確保するとともに、保護金具には防水層立ち上がり部を遮蔽する保護パネルを取り付け、この保護パネルは前記支持板の端部に設けた外側押さえと前記ベース板に設けた内側押さえとにより挟持固定するようにしたことを特徴とする壁面における防水層立ち上がり部の保護構造。
【請求項４】
壁面における防水層立ち上がり端部を壁面に固定するとともに前記端部とその近傍を遮蔽して雨水の浸入あるいは紫外線、太陽光線等による劣化現象を防止するための保護金具であって、防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えたことを特徴とする保護金具。
【請求項５】
請求項４記載の保護金具において、前記分離板は壁面に当接する端部が上方となる傾斜角を有し、前記支持板は壁面側から外方にかけて下降するように形成したことを特徴とする保護金具。
【請求項６】
請求項５記載の保護金具において、前記分離板には傾斜角の調整手段を設け端部の壁面への着実な当接を確保するとともに、防水層立ち上がり部を遮蔽する保護パネルを挟持固定するために、前記支持板の端部に設けた外側押さえと前記ベース板に設けた内側押さえとを具えるようにしたことを特徴とする保護金具。
【請求項７】
請求項６記載の保護金具において、前記外側押さえには空気流通用の貫通孔を設けたことを特徴とする保護金具。
【発明の詳細な説明】
【０００１】
【発明の属する技術分野】
本願発明は、建造物の屋上等において、壁面まで延伸された防水層の保護構造ならびにこれに使用される保護金具に関するものである。
【０００２】
【従来の技術】
屋上の周壁その他の壁面まで延伸された防水層の立ち上がりの保護構造としては、従来図４に示すようなものが知られている。
図において、１は屋上のコンクリート床面、２は屋上の四周に形成される壁面、３は防水層で、この防水層３はコンクリート床面１から延伸され壁面２上に立ち上がり部４が形成されている。
立ち上がり部４の端部には第１金具５が沿設され、ビスにより前期端部は第１金具５と壁面２との間で挟持固定されている。  立ち上がり部４の端部と第１金具５の接合端面にはシール部材が添着されて第１シール６が形成されている。
【０００３】
また、７は前記第１シールおよびその近傍を遮蔽して保護する第２金具であり、シール手段としてのゴムパッキング８を介して壁面２に固定されている。
このようにして、防水層３の壁面２における立ち上がり部４の端部には、言わば二重シールが施されている。このような二重シールは、壁面を伝わる大量の雨水や、紫外線、太陽熱から立ち上がり部４の端部のシーリングを保護するためには必要不可欠であり、上記で、例えば、第１シール６の保護手段としての第２金具等を設けず、第１シール６のみを単独で設けた場合、第１シール６部分の耐候性は著しく低下し、極めて短時間のうちにシール部分が劣化し雨水が浸入してしまう。
【０００４】
【発明が解決しようとする課題】
しかしながら、前記従来の技術には次のような不都合があった。
▲１▼  図４に示す保護構造では、先ず、防水層３の立ち上がり部４の端部を第１金具５によりコンクリート壁面２に固定して第１シール６を形成し、次いで第２金具７をシール手段としてのゴムパッキング８を介して壁面２に固定すると言うように２工程を必要とし、使用する金具も２部材であるなど施工コスト、施工効率の点で問題があった。
▲２▼  図４に示す保護構造の実際の施工は、先ず防水工事専門メーカーが防水層の敷設を担当し、防水層３の立ち上がり部４の端部を第１金具５によりコンクリート壁面２に固定して第１シール６を形成するまでを行い、防水工事終了とされる。これ以降は防水工事とは切り離して全く別種の工事として扱われ、防水工事の完了を待って、防水工事専門メーカーとは別の施工業者が第２金具７をシール手段としてのゴムパッキング８を介して壁面２に固定する作業を担当するようになっている。
しかしながら、工事をこのように区分してしまうと、工期の遅れ、施工コストの増加等の不都合が生じるばかりでなく、防水の安全性も確保できない虞が生じる。  すなわち、第１シール６を保護するための第２金具７をシール手段としてのゴムパッキング８等の取り付け作業は防水工事の重要な部分であり、この作業を防水分野の全般に通暁する防水専門メーカーが担当してこそ防水の安全性の確保が実現できるのである。
【０００５】
【課題を解決するための手段】
本願発明は、壁面における防水層立ち上がり部の保護構造を
防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第１シールと、前記金具に遮蔽されて金具と壁面との間に形成される第２シールとを具え、前記保護金具は、
防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えるように構成して、前記従来の課題を解決しようとするものである。
【０００６】
上記構成において、前記分離板は、壁面に当接する端部が上方となる傾斜角を有し、前記支持板は壁面側から外方にかけて下降するように形成することがある。
【０００７】
また、上記構成において、前記分離板には傾斜角の調整手段を設け端部の壁面への着実な当接を確保するとともに、保護金具には防水層立ち上がり部を遮蔽する保護パネルを取り付け、この保護パネルは前記支持板の端部に設けた外側押さえと前記ベース板に設けた内側押さえとにより挟持固定するようになすことがある。
【０００８】
本願発明はまた、壁面における防水層立ち上がり端部を壁面に固定するとともに前記端部とその近傍を遮蔽して雨水の浸入あるいは紫外線、太陽光線等による劣化現象を防止するための保護金具を、防水層立ち上がり端部を壁面との間で挟持するベース板と、このベース板上端から壁面方向に突出して壁面に当接して前記第１シールと第２シールとを区画する分離板と、ベース板上端から外方に突出して壁面との間で前記第１シールを形成するための支持板とを具えた構成として、上記従来の課題を解決しようとするものである。
【０００９】
また、上記保護金具において、前記分離板は壁面に当接する端部が上方となる傾斜角を有し、前記支持板は壁面側から外方にかけて下降するように形成することがある。
【００１０】
さらに、上記保護金具において、前記分離板には傾斜角の調整手段を設け端部の壁面への着実な当接を確保するとともに、防水層立ち上がり部を遮蔽する保護パネルを挟持固定するために、前記支持板の端部に設けた外側押さえと前記ベース板に設けた内側押さえとを具える構成となすことがある。  そして、外側押さえには空気流通用の貫通孔を形成することがある。
【００１１】
【発明の実施形態】
以下、本願発明の実施形態を説明する。なお、以下において、保護金具は、防水層立ち上がり部の保護構造に併せて説明する。
図１は、本願発明の第１実施形態に係る防水層立ち上がり部の保護構造の一部切欠断面図である。
図において、１１は、床面（不図示）から壁面に延伸される防水層１２の立ち上がり端部１２ａを壁面１３に固定するとともに前記端部１２とその近傍を遮蔽して雨水の浸入あるいは紫外線、太陽光線等による劣化現象を防止するための保護金具である。１４は、前記金具１１の外側と壁面１３との間に形成される第１シール、１５は、前記金具１１に遮蔽されて金具１１と壁面１３との間で防水層立ち上がり端部１２をシーリングする第２シールである。なお、１６は、前記第１シール１４のバックアップ材、１７は金具を壁面１３に固定するビスである。
このように、防水層立ち上がり端部１２と壁面１３との間は、第１シール１４と第２シール１５とのより二重にシーリングされていて雨水に対するシーリングを万全なものとしている。  また、第２シール１５は金具１１により常時遮蔽されているから、外気温の変化、紫外線、太陽光線等による劣化作用を受け難くその耐久性は格段に向上する。
【００１２】
図２は、前記保護金具１１の一部切欠斜視図である。  この保護金具１１は、前記防水層１２の立ち上がり端部１２ａを壁面１３との間で挟持するベース板１１ａと、このベース板１１ａ上端から壁面１３方向に斜め上方に突出し壁面１３に当接して前記第１シール１４の区画と第２シール１５の区画とを区画する分離板１１ｂと、ベース板１１ａ上端から壁面１３とは反対の外方に突出して壁面１３との間で前記第１シールを形成するための支持板１１ｃとを具え、アルミ材の押し出し成形により一体に形成されている。
【００１３】
なお、支持板１１ｃは、雨水等の流下を容易になすために壁面側から外方にかけて下降傾斜するように形成することが望ましい。  さらに、前記分離板１１ｂも壁面に当接する端部が上方となる傾斜角を有して形成される。
そして、この分離板１１ｂには前記支持板１１ｃとの間に傾斜角の調整手段１１ｆとしての溝部が設けられ分離板１１ｂ端部の壁面への着実な当接を確保するようになっている。すなわち、調整手段１１ｆとしての溝部の存在により分離板１１ｂの傾斜角の調節が容易になり当接の相手方である壁面の状態に適切に対応できることになる。
また、図において、１１ｄ、１１ｅは、それぞれ後述の保護パネルを挟持するために形成される外側押さえ及び内側押さえである。  そして、前記外側押さえ１１ｄには空気流通用の貫通孔１１ｇが形成され、外部との換気を促進して湿気によるカビ発生等の不都合を防止するようになっている。
【００１４】
図３は、他の実施形態に係る防水層立ち上がり部の保護構造の一部切欠断面図である。
図において、１８は床面２０の防水層２１上に形成された防水層の保護層で、その上での軽歩行に耐えるよう適宜樹脂材が用いられている。このように床面での歩行を想定すると、床面から壁面に延伸される防水層１２部分の保護対策が必要になり、保護手段として保護パネル１８が防水層１２に対向して並設されている。  保護パネル１８の上端部は保護金具１１により、下端部は受け金具２２によって支持されている。保護パネル１８の取り付けは、上端部を保護金具１１の前記外側押さえ１１ｄと内側押さえ１１ｅとの間に差し込み上方に持ち上げた後、下端部を受け金具２２の溝部に落とし込むようにして行う。保護パネル１８の上端部は前記外側押さえ１１ｄと内側押さえ１１ｅとにより挟持され、下端部は前記溝部に嵌合する。
【００１５】
【発明の効果】
本願発明は、以上説明した構成作用により、床面から屋上の周壁その他の壁面まで延伸された防水層の立ち上がりの保護におけるいわゆる二重シールにおいて、防水層の立ち上がり端部の直接シール区画を金属板により遮蔽するしさらにこの金属板を水密に遮蔽する他のシール区画で保護するとともに、直接シール区画を紫外線、太陽熱等から遮断を低コスト施工可能にし、しかも防水専門メーカーが一貫して工事を担当できるようにしたので防水品質が飛躍的に向上する。
【図面の簡単な説明】
【図１】本願発明の１実施形態に係る防水層立ち上がり部の保護構造の一部切欠断面図である。
【図２】保護金具の１実施形態に係る一部切欠斜視図である。
【図３】本願発明の他の実施形態に係る防水層立ち上がり部の保護構造の一部切欠断面図である。
【図４】従来技術を示す断面図である。
【符号の説明】
１１．．．．．．保護金具
１２．．．．．．防水層立ち上がり部
１３．．．．．．壁面
１４．．．．．．第１シール部
１５．．．．．．第２シール部
【図１】
2004250947.tif 000003
【図２】
2004250947.tif 000004
【図３】
2004250947.tif 000005
【図４】
2004250947.tif 000006
【手続補正書】
【提出日】平成15年11月14日(2003.11.14)
【手続補正１】
【補正対象書類名】明細書
【補正対象項目名】全文
【補正方法】変更
【補正の内容】
【特許請求の範囲】
【請求項１】床面から壁面まで延伸される防水層の立ち上がり部の雨水、紫外線、熱等に対する保護構造であって、防水層立ち上がり端部を壁面に固定するとともに前記端部とその近傍を遮蔽して雨水の浸入あるいは紫外線、太陽光線等による劣化現象を防止するための保護金具と、前記保護金具の外側と壁面との間に形成される第1シールと、前記保護金具に遮蔽されて金具と壁面との間に形成される第2シールとを具え、前記保護金具は、防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具えたことを特徴とする壁面における防水層立ち上がり部の保護構造。
【請求項２】請求項１記載の壁面における防水層立ち上がり部の保護構造において、前記分離板は壁面に当接する端部が上方となる傾斜角を有し、前記支持板は壁面側から外方にかけて下降するように形成したことを特徴とする壁面における防水層立ち上がり部の保護構造。
【請求項３】請求項２記載の壁面における防水層立ち上がり部の保護構造において、前記分離板には傾斜角の調整手段を設け端部の壁面への着実な当接を確保するとともに、保護金具には防水層立ち上がり部を遮蔽する保護パネルを取り付け、この保護パネルは前記支持板の端部に設けた外側押さえと前記ベース板に設けた内側押さえとにより挟持固定するようにしたことを特徴とする壁面における防水層立ち上がり部の保護構造。
【請求項４】壁面における防水層立ち上がり端部を壁面に固定するとともに前記端部とその近傍を遮蔽して雨水の浸入あるいは紫外線、太陽光線等による劣化現象を防止するための保護金具であって、防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具えたことを特徴とする保護金具。
【請求項５】請求項４記載の保護金具において、前記分離板は壁面に当接する端部が上方となる傾斜角を有し、前記支持板は壁面側から外方にかけて下降するように形成したことを特徴とする保護金具。
【請求項６】請求項５記載の保護金具において、前記分離板には傾斜角の調整手段を設け端部の壁面への着実な当接を確保するとともに、防水層立ち上がり部を遮蔽する保護パネルを挟持固定するために、前記支持板の端部に設けた外側押さえと前記ベース板に設けた内側押さえとを具えるようにしたことを特徴とする保護金具。
【請求項７】請求項６記載の保護金具において、前記外側押さえには空気流通用の貫通孔を設けたことを特徴とする保護金具。
【発明の詳細な説明】
【０００１】
【発明の属する技術分野】
本願発明は、建造物の屋上等において、壁面まで延伸された防水層の保護構造ならびにこれに使用される保護金具に関するものである。
【０００２】
【従来の技術】
屋上の周壁その他の壁面まで延伸された防水層の立ち上がりの保護構造としては、従来図４に示すようなものが知られている。
図において、１は屋上のコンクリート床面、２は屋上の四周に形成される壁面、３は防水層で、この防水層３はコンクリート床面１から延伸され壁面２上に立ち上がり部４が形成されている。
立ち上がり部４の端部には第1金具５が沿設され、ビスにより前期端部は第1金具５と壁面２との間で挟持固定されている。  立ち上がり部４の端部と第1金具５の接合端面にはシール部材が添着されて第1シール６が形成されている。
【０００３】
また、７は前記第1シールおよびその近傍を遮蔽して保護する第2金具であり、シール手段としてのゴムパッキング８を介して壁面２に固定されている。
このようにして、防水層３の壁面２における立ち上がり部4の端部には、言わば二重シールが施されている。このような二重シールは、壁面を伝わる大量の雨水や、紫外線、太陽熱から立ち上がり部4の端部のシーリングを保護するためには必要不可欠であり、上記で、例えば、第1シール６の保護手段としての第2金具等を設けず、第1シール６のみを単独で設けた場合、第1シール６部分の耐候性は著しく低下し、極めて短時間のうちにシール部分が劣化し雨水が浸入してしまう。
【０００４】
【発明が解決しようとする課題】
しかしながら、前記従来の技術には次のような不都合があった。
（１）  図４に示す保護構造では、先ず、防水層３の立ち上がり部４の端部を第1金具５によりコンクリート壁面２に固定して第1シール６を形成し、次いで第2金具７をシール手段としてのゴムパッキング８を介して壁面２に固定すると言うように２工程を必要とし、使用する金具も２部材であるなど施工コスト、施工効率の点で問題があった。
（２）  図４に示す保護構造の実際の施工は、先ず防水工事専門メーカーが防水層の敷設を担当し、防水層３の立ち上がり部４の端部を第1金具５によりコンクリート壁面２に固定して第1シール６を形成するまでを行い、防水工事終了とされる。これ以降は防水工事とは切り離して全く別種の工事として扱われ、防水工事の完了を待って、防水工事専門メーカーとは別の施工業者が第2金具７をシール手段としてのゴムパッキング８を介して壁面２に固定する作業を担当するようになっている。
しかしながら、工事をこのように区分してしまうと、工期の遅れ、施工コストの増加等の不都合が生じるばかりでなく、防水の安全性も確保できない虞が生じる。  すなわち、第1シール６を保護するための第2金具７をシール手段としてのゴムパッキング８等の取り付け作業は防水工事の重要な部分であり、この作業を防水分野の全般に通暁する防水専門メーカーが担当してこそ防水の安全性の確保が実現できるのである。
【０００５】
【課題を解決するための手段】
本願発明は、壁面における防水層立ち上がり部の保護構造を
防水層立ち上がり端部を壁面に固定するとともに前記端部とその近傍を遮蔽して雨水の浸入あるいは紫外線、太陽光線等による劣化現象を防止するための保護金具と、前記金具の外側と壁面との間に形成される第1シールと、前記金具に遮蔽されて金具と壁面との間に形成される第2シールとを具え、前記保護金具は、  防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具えるように構成して、前記従来の課題を解決しようとするものである。
【０００６】
上記構成において、前記分離板は、壁面に当接する端部が上方となる傾斜角を有し、前記支持板は壁面側から外方にかけて下降するように形成することがある。
【０００７】
また、上記構成において、前記分離板には傾斜角の調整手段を設け端部の壁面への着実な当接を確保するとともに、保護金具には防水層立ち上がり部を遮蔽する保護パネルを取り付け、この保護パネルは前記支持板の端部に設けた外側押さえと前記ベース板に設けた内側押さえとにより挟持固定するようになすことがある。
【０００８】
本願発明はまた、壁面における防水層立ち上がり端部を壁面に固定するとともに前記端部とその近傍を遮蔽して雨水の浸入あるいは紫外線、太陽光線等による劣化現象を防止するための保護金具を、防水層立ち上がり端部を壁面との間で挟持するベース板と、このベース板上端から壁面方向に突出して壁面に当接して前記第1シールと第2シールとを区画する分離板と、ベース板上端から外方に突出して壁面との間で前記第1シールを形成するための支持板とを具えた構成として、上記従来の課題を解決しようとするものである。
【０００９】
また、上記保護金具において、前記分離板は壁面に当接する端部が上方となる傾斜角を有し、前記支持板は壁面側から外方にかけて下降するように形成することがある。
【００１０】
さらに、上記保護金具において、前記分離板には傾斜角の調整手段を設け端部の壁面への着実な当接を確保するとともに、防水層立ち上がり部を遮蔽する保護パネルを挟持固定するために、前記支持板の端部に設けた外側押さえと前記ベース板に設けた内側押さえとを具える構成となすことがある。  そして、外側押さえには空気流通用の貫通孔を形成することがある。
【００１１】
【発明の実施形態】
以下、本願発明の実施形態を説明する。なお、以下において、保護金具は、防水層立ち上がり部の保護構造に併せて説明する。
図１は、本願発明の第１実施形態に係る防水層立ち上がり部の保護構造の一部切欠断面図である。
図において、１１は、床面（不図示）から壁面に延伸される防水層１２の立ち上がり端部１２ａを壁面１３に固定するとともに前記端部１２とその近傍を遮蔽して雨水の浸入あるいは紫外線、太陽光線等による劣化現象を防止するための保護金具である。１４は、前記金具１１の外側と壁面１３との間に形成される第1シール、１５は、前記金具１１に遮蔽されて金具１１と壁面１３との間で防水層立ち上がり端部１２をシーリングする第2シールである。なお、１６は、前記第1シール１４のバックアップ材、１７は金具を壁面１３に固定するビスである。
このように、防水層立ち上がり端部１２と壁面１３との間は、第1シール１４と第2シール１５とのより二重にシーリングされていて雨水に対するシーリングを万全なものとしている。  また、第2シール１５は金具１１により常時遮蔽されているから、外気温の変化、紫外線、太陽光線等による劣化作用を受け難くその耐久性は格段に向上する。
【００１２】
図2は、前記保護金具１１の一部切欠斜視図である。  この保護金具１１は、  前記防水層１２の立ち上がり端部１２ａを壁面１３との間で挟持するベース板１１ａと、このベース板１１ａ上端から壁面１３方向に斜め上方に突出し壁面１３に当接して前記第1シール１４の区画と第2シール１５の区画とを区画する分離板１１ｂと、ベース板１１ａ上端から壁面１３とは反対の外方に突出して壁面１３との間で前記第1シールを形成するための支持板１１ｃとを具え、アルミ材の押し出し成形により一体に形成されている。
【００１３】
なお、支持板１１ｃは、雨水等の流下を容易になすために壁面側から外方にかけて下降傾斜するように形成することが望ましい。  さらに、前記分離板１１ｂも壁面に当接する端部が上方となる傾斜角を有して形成される。
そして、この分離板１１ｂには前記支持板１１ｃとの間に傾斜角の調整手段１１ｆとしての溝部が設けられ分離板１１ｂ端部の壁面への着実な当接を確保するようになっている。すなわち、調整手段としての溝部１１ｆの存在により分離板１１ｂの傾斜角の調節が容易になり当接の相手方である壁面の状態に適切に対応できることになる。
また、図において、１１ｄ、１１ｅは、それぞれ後述の保護パネルを挟持するために形成される外側押さえ及び内側押さえである。  そして、前記外側押さえ１１ｄには空気流通用の貫通孔１１ｇが形成され、外部との換気を促進して湿気によるカビ発生等の不都合を防止するようになっている。
【００１４】
図３は、他の実施形態に係る防水層立ち上がり部の保護構造の一部切欠断面図である。
図において、１８は床面２０の防水層２１上に形成された防水層の保護層で、その上での軽歩行に耐えるよう適宜樹脂材が用いられている。このように床面での歩行を想定すると、床面から壁面に延伸される防水層１２部分の保護対策が必要になり、保護手段として保護パネル１８が防水層１２に対向して並設されている。  保護パネル１８の上端部は保護金具１１により、下端部は受け金具２２によって支持されている。保護パネル１８の取り付けは、上端部を保護金具１１の  前記外側押さえ１１ｄと内側押さえ１１ｅとの間に差し込み上方に持ち上げた後、下端部を受け金具２２の溝部に落とし込むようにして行う。保護パネル１８の上端部は前記外側押さえ１１ｄと内側押さえ１１ｅとにより挟持され、下端部は前記溝部に嵌合する。
【００１５】
【発明の効果】
本願発明は、以上説明した構成作用により、床面から屋上の周壁その他の壁面まで延伸された防水層の立ち上がりの保護におけるいわゆる二重シールにおいて、防水層の立ち上がり端部の直接シール区画を金属板により遮蔽するしさらにこの金属板を水密に遮蔽する他のシール区画で保護するとともに、直接シール区画を紫外線、太陽熱等から遮断を低コスト施工可能にし、しかも防水専門メーカーが一貫して工事を担当できるようにしたので防水品質が飛躍的に向上する。
【図面の簡単な説明】
【図１】本願発明の１実施形態に係る防水層立ち上がり部の保護構造の一部切欠断面図である。
【図２】保護金具の１実施形態に係る一部切欠斜視図である。
【図３】本願発明の他の実施形態に係る防水層立ち上がり部の保護構造の一部切欠断面図である。
【図４】従来技術を示す断面図である。
【符号の説明】
１１．．．．．．保護金具
１２．．．．．．防水層立ち上がり部
１３．．．．．．壁面
１４．．．．．．第1シール
１５．．．．．．第2シール